(57)【特許請求の範囲】
【請求項１】
管理サーバから配信された各種の画像情報を小型表示板で受けて公共交通機関の車両内で画面表示する情報表示システムにおいて、
前記画像情報は、インターネットまたはイントラネットによるネットワークにアクセスして各種情報を取得するアドレスを有する二次元情報コードを含み、
前記小型表示板は、
それぞれの小型表示板に固有のシステムアドレスを有し、
撮影機能を有する携帯電話端末で画面の画像情報を手近で撮影できるように、つり革、荷物棚前枠を含む床面に近く、かつ、車両内の中吊り、天井側面を含む手の届かない位置の広告媒体それぞれに対応する露出場所に設置され、
表示される二次元情報コードには当該広告媒体に関する情報提供サーバのアドレスを含む
ことを特徴とする車両内での情報表示システム。
【請求項２】
請求項１に記載の車両内での情報表示システムにおいて、各車両にはその車両の現在位置情報とその車両の識別情報とを前記管理サーバへ通知する位置情報通知ユニットを備えており、更に、前記位置情報通知ユニットと、各車両の路線に関する駅名、時刻表を含む路線情報データベースと、前記車両の位置情報を受けた際に前記路線情報データベースを駆使してその車両位置情報から当該車両の路線記号、行先駅名、および所要時間を含む路線情報を提供する路線情報提供サーバとを前記ネットワークに接続し、前記管理サーバは各車両の前記識別情報と前記路線情報提供サーバのアドレスとを前記二次元情報コードに含めて前記小型表示板に送信することを特徴とする車両内での情報表示システム。
【請求項３】
請求項１に記載の車両内での情報表示システムにおいて、車両の運行に支障を生じた際にその障害情報および乗換え情報を含む緊急情報の入力を受けて保存する緊急情報データベースと前記緊急情報データベースに緊急情報を受けた際にその緊急情報を通知する緊急情報提供サーバとのそれぞれを前記ネットワークに接続して備え、前記管理サーバが緊急情報提供サーバから通知依頼を受けた際にはその緊急情報を提供できるアドレスを前記二次元情報コードに含めて関連車両の前記小型表示板に送信することを特徴とする車両内での情報表示システム。
【請求項４】
請求項１に記載の車両内での情報表示システムにおいて、前記携帯電話端末は、前記小型表示板の画像情報から前記二次元情報コードを取得した際に、当該情報コードに含まれるアドレスにより前記ネットワークを介しアクセスして所定の情報提供サーバと接続し、その提供情報を前記小型表示板で受けて画面表示することを特徴とする車両内での情報表示システム。
【発明の詳細な説明】
【技術分野】
【０００１】
本発明は、通勤電車や路線バスなどの公共交通機関において、二次元情報コードを使用した車内情報表示システムに関するものである。
【背景技術】
【０００２】
従来の公共交通機関の車両内での情報表示システムとしては、車内広告の表示内容に商品供給元または広告主などの情報を含む識別情報を掲載し、この識別情報をカメラ付き携帯端末で容易に取り込み、インターネットでサイトにアクセスしてその情報を取得する技術として、例えば、特開２００２−３１８７４４号公報（特許文献１）がある。この識別情報がビットマップ情報による二次元コード、例えばＱＲコード（登録商標）のようなコード情報であり、このコード情報を携帯電話が撮影してインターネットを介してその情報を取得する技術は、例えば、特開２００４−１４０８２３号公報（特許文献２）または特開２００６−２９５８９８号公報（特許文献３）に開示されている。
【０００３】
車両情報としては、例えば、特開２００６−２７６９４０号公報（特許文献４）に、二次元コードとしてＱＲコードを例示し、携帯電話などの携帯端末により停留所などで乗車情報を読み取ることにより、その携帯電話に降車案内などを可能にした技術が開示されている。
【０００４】
上述した技術による公共交通機関の車両内での情報表示システムは、車内広告に表示された小型化された二次元情報コードをカメラ付き携帯端末で撮影し、二次元情報コードに含まれるＵＲＬアドレスからインターネットを介して該当広告の詳細情報を取得するものである。
【０００５】
しかしながら、公共交通機関の車両内での広告は、天井近辺にあり、携帯電話などを近づけて撮影することが難しいという問題がある。
【０００６】
【特許文献１】特開２００２−３１８７４４号公報
【特許文献２】特開２００４−１４０８２３号公報
【特許文献３】特開２００６−２９５８９８号公報
【特許文献４】特開２００６−２７６９４０号公報
【発明の開示】
【発明が解決しようとする課題】
【０００７】
解決しようとする課題は、公共交通機関の車両内での広告が天井近辺にあるので、携帯電話などを近づけて撮影することが難しく、特に背の低い人にとっては撮影が不可能なことである。
【課題を解決するための手段】
【０００８】
本発明による車両内での情報表示システムは、上記課題を解決するため、管理サーバから配信された各種の画像情報を小型表示板で受けて公共交通機関の車両内で画面表示する情報表示システムにおいて、前記画像情報は、インターネットまたはイントラネットによるネットワークにアクセスして各種情報を取得するアドレスを有する二次元情報コードを含み、前記小型表示板は、画面の画像情報を、撮影機能を有する携帯電話端末により手近で撮影できるように、つり革、荷物棚前枠を含む床面に近い露出場所に備えられることを特徴とする。
【発明の効果】
【０００９】
上記構成により、本発明の公共交通機関の車両内での情報表示システムは、インターネットまたはイントラネットによるネットワークにおけるアドレスを二次元情報コードにより含む画像情報を画面表示する小型表示板を、つり革、荷物棚前枠など、床面に近い露出場所に備えるため、撮影機能を有する携帯電話端末により手近で撮影できるので、撮影者はその携帯電話端末により即座に前記ネットワークを介して二次元情報コードに含まれるアドレスから詳細情報を受け取ることができるという利点がある。
【発明を実施するための最良の形態】
【００１０】
携帯電話端末の所持者が撮影機能を有する携帯電話端末で車内広告に関する画像情報を容易に撮影するという目的を、画像情報を画面表示する小型表示板をつり革、荷物棚前枠など床面に近い露出場所に備えることにより実現した。
【００１１】
画像情報を画面表示する小型表示板それぞれには、特定の画像情報を配信可能なように宛先アドレスとして固有のシステムアドレスが付与される。
【００１２】
携帯電話端末は、画像情報に含まれる二次元情報コードからネットワーク上のアドレスを検出し、そのアドレスによりネットワークを介して車内広告に関する詳細情報を取得できる。ネットワークは、インターネットおよびイントラネットのいずれか一方または両方を含む。アドレスは実施例でインターネット上のアドレスのＵＲＬ（Uniform Resource Locator）を用いる。二次元情報コードは、小型化されたもので、例えば、マトリクス型の「ＱＲコード（登録商標）」、「Data Matrix（登録商標）」、または「Maxi Code（登録商標）」が用いられる。以下の実施例では、日本の携帯電話で普及の「ＱＲコード」を用いる。
【実施例１】
【００１３】
本発明の実施例１について、図１並びに図４Ａおよび図５Ａを併せ参照して説明する。
【００１４】
図１では、本発明のシステムにおける荷物棚上方の天井側面に掲示される広告媒体１−Ａ〜１−Ｎそれぞれに対応する小型表示板１１Ａ〜１１Ｎが、荷物棚前枠１２の表面に備えられている。小型表示板１１Ａ〜１１Ｎそれぞれには固有のシステムアドレスが付与されている。図１では小型表示板が荷物棚前枠表面に設けられているが、荷物棚前枠の前方に位置するつり革を利用してもよい。つり革での小型表示板の位置は図２が参照できる。
【００１５】
図４Ａは、上記小型表示板の画面に表示される画像情報１４Ａの一例を示す図である。例えば、図１の天井側面広告媒体１−Ａの広告主が「ＡＡ企業」の場合であり、図示されるＱＲコード１５Ａには「ＡＡ企業」のホームページのＵＲＬが含まれる。したがって、携帯電話端末は、ＱＲコード１５Ａを撮影した際に、周知の技術により、インターネットを介して「ＡＡ企業」のホームページ画像を取得し、画面表示できる。図４Ａの画面では文字が含まれているが、ＱＲコードから短時間でホームページなどの画像情報が得られるので、画面はＱＲコードのみでもよい。
【００１６】
図５Ａは、第１の実施例のシステム構成を示すブロック図である。
【００１７】
図５Ａには小型表示システム１００、表示管理サーバ１１０Ａ、インターネット１２０、携帯電話端末２００、企業情報提供サーバ３１０、および企業情報ＤＢ３１１が示されている。小型表示システム１００には小型表示板１０および表示制御部１０１が、また、表示管理サーバ１１０には小型表示板１０の表示場所に対応して情報名、ＱＲコードなどが画像情報１４Ａとして予め記録され保持される。
【００１８】
小型表示システム１００は、小型表示板１０および表示制御部１０１を含み、表示制御部１０１はインターネット１２０とアクセスして表示管理サーバ１１０Ａから画像情報１４を受ける。表示制御部１０１は、インターネット１２０を介して表示管理サーバ１１０Ａから受ける画像情報１４Ａを対応広告媒体に指定される位置の小型表示板１０に送って画面表示させる。
【００１９】
表示管理サーバ１１０Ａは、本発明による情報表示システムを運営するものであって、管理者により車内の広告媒体に対応して小型表示板１０に表示する画像情報１４Ａを予め記録しており、画像情報１４Ａを小型表示板１０それぞれが有するシステムアドレスに配信する。画像情報１４Ａには、配信場所である表示場所に対応して情報名、ＱＲコードなどが含まれ、ＱＲコードには詳細情報の提供元となる企業情報提供サーバ３１０またはそのホームページのＵＲＬが含まれる。
【００２０】
携帯電話端末２００は、撮影機能を有し、小型表示板１０の画像を撮影してそれに含まれるＱＲコードからインターネット１２０におけるＵＲＬを抽出する。携帯電話端末２００は、抽出されたＵＲＬを送信してインターネット１２０を介して企業情報提供サーバ３１０の企業情報ＤＢ３１１からその企業の提供情報、例えばホームページを呼び出して受信し自己の画面に表示する。
【００２１】
企業情報提供サーバ３１０は、インターネット１２０を介してＵＲＬ接続された際、企業情報ＤＢ３１１から指定された情報データを取り出して請求元の携帯電話端末２００に宛てて返信する。
【００２２】
このような構成を採用したので、携帯電話端末ユーザは、所持する携帯電話端末で、車内の広告に対する詳細情報を容易に取得することができる。ひいては、企業側も意義ある有効な広告宣伝を提供することができる。
【００２３】
すなわち、このように、乗客の携帯電話端末からＱＲコードを容易にスキャンできる環境を提供することにより、アクセスが容易なＱＲコードによって、アクセス性が格段に改善される。したがって、通勤時間などの忙しい時間帯にＵＲＬの文字列を携帯電話端末に入力する不便さが打破できると共に、車内に掲載されている広告情報を有効に活用させ、各企業の販売促進をもたらすことができる。
【実施例２】
【００２４】
本発明の実施例２について、図２並びに図４Ａおよび図５Ａを併せ参照して説明する。
【００２５】
この実施例は、上記実施例で図１を図２に変更したのみであり、他の構成要素は変更がないので、図２についてのみ説明する。
【００２６】
図２では、本発明のシステムにおける車両を横断して天井から掲示される中吊り広告媒体２−Ａ、２−Ｂそれぞれに対応する小型表示板１２Ａ、１２Ｂおよび１２Ｃ、１２Ｄが、車両を横断する中吊り広告媒体の下方に設けられるつり革２２それぞれの表面に備えられている。また、小型表示板１２Ａ〜１２Ｄそれぞれには固有のシステムアドレスが付与されている。
【００２７】
図２では、各広告に対応して二つずつの小型表示板が割り当てられているが、一つのつり革のみを対応させて指定できる。広告に対応する小型表示板は、他の表示の小型表示板と区別のため、その化粧板の色彩を相違させるとよい。
【００２８】
勿論、上記実施例と混在または併用することができる。
【実施例３】
【００２９】
本発明の実施例３について図３、図４Ｂ、および図５Ｂを併せ参照して説明する。
【００３０】
図３の実施例では、小型表示板１３Ａ〜１３Ｍが広告媒体と無関係の場所のつり革３２それぞれに備えられる構成について示している。小型表示板１３Ａ〜１３Ｍそれぞれには固有のシステムアドレスが付与されている。小型表示板１３Ａ〜１３Ｍの一部が上記実施例で説明の広告媒体対応であってもよい。
【００３１】
図４Ｂは、上記小型表示板の画面に表示される画像情報１４Ｂの一例を示す図である。図４Ｂでは、小型表示板１３Ａ〜１３Ｍにより「現在地の路線情報」を乗客に提供する例を示している。したがって、ＱＲコード１５Ｂには、例えば、周知の路線情報提供サーバ３２０のＵＲＬが含まれる。したがって、携帯電話端末は、ＱＲコード１５Ｂを撮影した際に、周知の技術により、インターネットを介して「公共交通機関の路線情報」に関するホームページ画像を取得し、画面表示できる。図４Ｂの画面では文字が含まれているが、ＱＲコードから短時間でホームページなどの画像情報が得られて確認できるので、画面はＱＲコードのみでもよい。
【００３２】
図５Ｂは、第２の実施例のシステム構成を示すブロック図である。
【００３３】
図５Ｂには、上述した小型表示システム１００、表示管理サーバ１１０Ｂ、インターネット１２０、および携帯電話端末２００に加えて、路線情報提供サーバ３２０、路線情報ＤＢ３２１、および車両４１０に備えられる位置情報通知ユニット４１１が示されている。図５Ａと同一の番号符号の構成要素については説明を省略する。
【００３４】
小型表示システム１００には小型表示板１０および表示制御部１０１が、また、表示管理サーバ１１０Ｂには小型表示板１０の表示場所に対応して情報名、ＱＲコードなどが画像情報１４Ｂとして予め記録され保持される。
【００３５】
小型表示システム１００は、小型表示板１０および表示制御部１０１を含み、表示制御部１０１はインターネット１２０とアクセスして表示管理サーバ１１０Ｂから画像情報１４Ｂを受ける。表示制御部１０１は、インターネット１２０を介して表示管理サーバ１１０Ｂから受ける画像情報１４Ｂを対応広告媒体に指定される位置の小型表示板１０に送って画面表示させる。
【００３６】
表示管理サーバ１１０Ｂは、本発明による情報表示システムを管理するものであって、管理者により小型表示板１０に表示する画像情報１４Ｂを予め記録しており、画像情報１４Ｂを小型表示板１０それぞれが有するシステムアドレスに配信する。画像情報１４Ｂには、配信場所である表示場所に対応して情報名、ＱＲコードなどが含まれ、ＱＲコードには詳細情報の提供元となる路線情報提供サーバ３２０またはそのホームページのＵＲＬが含まれる。
【００３７】
携帯電話端末２００は、撮影機能を有し、小型表示板１０の画像を撮影してそれに含まれるＱＲコードからインターネット１２０におけるＵＲＬを抽出する。携帯電話端末２００は、抽出されたＵＲＬを送信してインターネット１２０を介して路線情報提供サーバ３２０の路線情報ＤＢ３２１からその路線に関する提供情報、例えばホームページを呼び出して受信し自己の画面に表示する。
【００３８】
路線情報提供サーバ３２０は、インターネット１２０を介してＵＲＬ接続された際、路線情報ＤＢ３２１から指定された情報データを取り出して請求元の携帯電話端末２００に宛てて返信する。携帯電話端末２００は、周知の技術で、路線情報提供サーバ３２０との間で、車両４１０の位置情報通知ユニット４１１または携帯電話端末が内蔵する位置情報に基づく各種の路線情報を取得できる。その詳細は省略する。
【００３９】
このような構成を採用したので、携帯電話端末ユーザは、所持する携帯電話端末で、乗車車両の到着時間、乗換え案内などの詳細情報を容易に取得することができる。勿論、上記実施例と混在、併用することができる。
【００４０】
すなわち、乗客の携帯電話端末からＱＲコードを容易にスキャンできる環境を提供し、運行中に現在の路線の位置、時刻に対応するＱＲコードを時間単位で表示させることが可能となる。したがって、乗客に現在走行している場所の確認や降車目的の駅までの駅数、時間、また乗り換え情報などの情報サービスをオンタイムで提供することができるので、乗客へのサービス向上をもたらす。
【実施例４】
【００４１】
本発明の実施例４について図３、図４Ｃ、および図５Ｃを併せ参照して説明する。
【００４２】
図３の実施例では、小型表示板１３Ａ〜１３Ｍが広告媒体と無関係の場所のつり革３２それぞれに備えられる構成について示している。小型表示板１３Ａ〜１３Ｍそれぞれには固有のシステムアドレスが付与されている。小型表示板１３Ａ〜１３Ｍの一部が上記実施例で説明の広告媒体対応であってもよい。
【００４３】
図４Ｃは、上記小型表示板の画面に表示される画像情報１４Ｃの一例を示す図である。図４Ｃでは、小型表示板１３Ａ〜１３Ｍに、車両事故などによる「緊急情報」を乗客に提供する例を示している。したがって、ＱＲコード１５Ｃには、障害状況、運行状況など緊急情報提供サーバ３３０のＵＲＬが含まれる。したがって、携帯電話端末は、ＱＲコード１５Ｃを撮影した際に、周知の技術により、インターネットを介して公共交通機関の「緊急情報」に関するホームページ画像を取得し、画面表示できる。図４Ｃの画面では文字が含まれているが、ＱＲコードから短時間でホームページなどの画像情報が得られて確認できるので、画面はＱＲコードのみでもよい。
【００４４】
図５Ｃは、第３の実施例のシステム構成を示すブロック図である。
【００４５】
図５Ｃには、上述した小型表示システム１００、表示管理サーバ１１０Ｃ、インターネット１２０、および携帯電話端末２００に加えて、緊急情報提供サーバ３３０および緊急情報ＤＢ３３１が示されている。図５Ａと同一の番号符号の構成要素については説明を省略する。
【００４６】
小型表示システム１００には小型表示板１０および表示制御部１０１が、また、表示管理サーバ１１０Ｃには小型表示板１０の表示場所に対応して情報名、ＱＲコードなどが画像情報１４Ｃとして予め記録され保持される。
【００４７】
小型表示システム１００は、小型表示板１０および表示制御部１０１を含み、表示制御部１０１はインターネット１２０とアクセスして表示管理サーバ１１０Ｃから画像情報１４Ｃを受ける。表示制御部１０１は、インターネット１２０を介して表示管理サーバ１１０Ｃから受ける画像情報１４Ｃを指定される位置の小型表示板１０に送って画面表示させる。
【００４８】
表示管理サーバ１１０Ｃは、本発明による情報表示システムを管理するものであって、管理者により小型表示板１０に表示する画像情報１４Ｃを予め記録しており、画像情報１４Ｃを小型表示板１０それぞれが有するシステムアドレスに配信する。画像情報１４Ｃには、配信場所である表示場所に対応して情報名、ＱＲコードなどが含まれ、ＱＲコードには詳細情報の提供元となる緊急情報提供サーバ３３０またはそのホームページのＵＲＬが含まれる。
【００４９】
携帯電話端末２００は、撮影機能を有し、小型表示板１０の画像を撮影してそれに含まれるＱＲコードからインターネット１２０におけるＵＲＬを抽出する。携帯電話端末２００は、抽出されたＵＲＬを送信してインターネット１２０を介して緊急情報提供サーバ３３０の緊急情報ＤＢ３３１からその路線に関する提供情報、例えばホームページを呼び出して受信し自己の画面に表示する。
【００５０】
路線情報提供サーバ３３０は、インターネット１２０を介してＵＲＬ接続された際、緊急情報ＤＢ３３１から指定された情報データを取り出して請求元の携帯電話端末２００に宛てて返信する。携帯電話端末２００は、周知の技術で、緊急情報提供サーバ３３０との間で、緊急情報を取得できる。緊急情報は、緊急状態発生の際、緊急情報提供サーバ３３０を介して緊急情報ＤＢ３３１にオペレータにより入力される。その詳細は省略する。
【００５１】
このような構成を採用したので、携帯電話端末ユーザは、所持する携帯電話端末で、乗車車両の延着時間、乗換え案内などの詳細情報を容易に取得することができる。上記実施例２による路線情報の入手によっても、入手できるが、自己路線の場合、表示管理サーバ１１０Ｃが速やかに対応できるので、乗客の便に有効である。勿論、上記実施例と混在、併用が可能である。
【００５２】
すなわち、乗客の携帯電話端末からＱＲコードを容易にスキャンできる環境を提供し、乗車中に目的地までの路線内で事故が発生した場合、交通機関が運営する事故・災害対応サーバにアクセス可能なＱＲコードを表示させることで、各乗客のニーズにあった他路線、他交通手段による迂回方法などの詳細情報をいち早く乗客に通知することができる。したがって、乗客による混乱を避けることに有効である。
【産業上の利用可能性】
【００５３】
携帯電話端末の所持者が撮影機能を有する携帯電話端末で車内広告に関する画像情報を容易に撮影するという目的を、画像情報を画面表示する小型表示板をつり革、荷物棚前枠など床面に近い露出場所に備えることにより実現した。したがって、小型表示板に表示する詳細情報を、車両事故を含む路線の案内情報に応用することが可能であり、更に、上記実施例に限定されることなく、乗客が車内で取得したい情報に対してその取得を容易にする用途に適用できる。
【図面の簡単な説明】
【００５４】
【図１】公共交通機関の車両内での情報表示システムの実施例を示した説明図である。（実施例１）
【図２】公共交通機関の車両内での情報表示システムの図１とは異なる実施例を示した説明図である。（実施例２）
【図３】公共交通機関の車両内での情報表示システムの図１とは異なる実施例を示した説明図である。（実施例３、実施例４）
【図４Ａ】公共交通機関の車両内での情報表示システムにおける画面表示の実施例を示した説明図である。（実施例１、実施例２）
【図４Ｂ】公共交通機関の車両内での情報表示システムにおける画面表示の実施例を示した説明図である。（実施例３）
【図４Ｃ】公共交通機関の車両内での情報表示システムにおける画面表示の実施例を示した説明図である。（実施例４）
【図５Ａ】公共交通機関の車両内での情報表示システムの実施例をブロックで示した説明図である。（実施例１、実施例２）
【図５Ｂ】公共交通機関の車両内での情報表示システムの実施例をブロックで示した説明図である。（実施例３）
【図５Ｃ】公共交通機関の車両内での情報表示システムの実施例をブロックで示した説明図である。（実施例４）
【符号の説明】
【００５５】
１−Ａ、１−Ｂ、１−Ｎ、２−Ａ、２−Ｂ    広告媒体
１０、１１Ａ、１１Ｂ、１１Ｎ、１２Ａ〜１２Ｄ、１３Ａ〜１３Ｃ、１３Ｍ    小型表示板
１２    荷物棚前枠
１４Ａ、１４Ｂ、１４Ｃ    画像情報
１５Ａ、１５Ｂ、１５Ｃ    ＱＲコード
２２、３２    、つり革
１００    小型表示システム
１０１    表示制御部
１１０Ａ、１１０Ｂ、１１０Ｃ    表示管理サーバ
１２０    インターネット
２００    携帯電話端末
３１０    企業情報提供サーバ
３１１    企業情報ＤＢ
３２０    路線情報提供サーバ
３２１    路線情報ＤＢ
３３０    緊急情報提供サーバ
３３１    緊急情報ＤＢ
４１０    車両
４１１    位置情報通知ユニット
【図１】
0004849271.tif 000002
【図２】
0004849271.tif 000003
【図３】
0004849271.tif 000004
【図４Ａ】
0004849271.tif 000005
【図４Ｂ】
0004849271.tif 000006
【図４Ｃ】
0004849271.tif 000007
【図５Ａ】
0004849271.tif 000008
【図５Ｂ】
0004849271.tif 000009
【図５Ｃ】
0004849271.tif 000010